(57)【要約】      （修正有）【課題】液体を吸い上げる量を制御でき、異なる体積の小分けボトルに対応できる補助工具を提供する。【解決手段】ボトル本体１０を含み、前記ボトル本体１０の頂部端面には柱２５が設置され、前記柱２５の中にはピストンチャンバ１１が設けられ、前記ピストンチャンバ１１の左側壁には液体吸上げパイプ１４が設置され、前記ピストンチャンバ１１の右側内壁の中には硝子板１２が設けられ、前記硝子板１２には目盛りが設置され、前記ピストンチャンバ１１の中にはピストンがスライドできるように取付けられ、前記ピストンの中には前記ピストンチャンバ１１の中で行われる液体吸上げを制御するバルブＡが設置され、前記バルブＡがプッシュブロックＡとバネＡを含み、前記ピストンチャンバ１１の底壁には液体排出を制御するバルブＢが設置される。【選択図】図１
2020183272.tif 000002
【特許請求の範囲】
【請求項１】
正面視で、ボトル本体を含み、前記ボトル本体の頂部端面には柱が設置され、前記柱の中にはピストンチャンバが設けられ、前記ピストンチャンバの左側壁には液体吸上げパイプが設置され、前記ピストンチャンバの右側内壁の中には硝子板が設けられ、前記硝子板には目盛りが設置され、前記ピストンチャンバの中にはピストンがスライドできるように取付けられ、前記ピストンの中には前記ピストンチャンバの中で行われる液体吸上げを制御するバルブＡが設置され、前記バルブＡがプッシュブロックＡとバネＡを含み、前記ピストンチャンバの底壁には液体排出を制御するバルブＢが設置され、前記バルブＢがプッシュブロックＢとバネＢとを含み、前記バルブＡと前記バルブＢとの連結によって前記ピストンチャンバの中で行われる液体の吸上げと排出を制御し、前記ボトル本体と前記柱の中には前記ピストンの上下移動を制御する押圧部品が設置され、前記押圧部品が前記ピストンの頂部端面に固定的に取付けられる持上げロッドと、前記柱の中に位置する弾力チャンバとを含み、前記弾力チャンバの中にはリミット板がスライドできるように取付けられ、前記リミット板の底部端面には前記ピストンチャンバの中に進入する連結ロッドが固定的に取付けられ、前記柱には前記持上げロッドの上がる距離を制御するリミット部品が設置されることを特徴とする小分けボトルの補助工具。
【請求項２】
前記バルブＡは前記ピストンの中に位置するプッシュブロックチャンバＡを含み、前記プッシュブロックチャンバＡの頂壁には上方に開口した通気穴が設けられ、前記プッシュブロックチャンバＡの底壁の中にはバネチャンバＡが連通して設けられ、前記バネチャンバＡの底壁には下方に開口したエアホールが設けられ、前記プッシュブロックＡが前記プッシュブロックチャンバＡの中にスライドできるように取付けられ、前記バネＡが前記プッシュブロックＡと前記バネチャンバＡの底壁との間に固定的に取付けられ、前記プッシュブロックＡの頂部端面には密封ブロックが固定的に取付けられ、前記密封ブロックが前記通気穴と連結されて密封になることができ、前記通気穴と前記プッシュブロックチャンバＡとの間には通気パイプが連通して設けられ、液体排出の状態にある時、プッシュブロックＡと密封ブロックとが頂端まで移動し、密封ブロックが通気穴と係合されて密封になり、空気が通気パイプを通して流通できなく、ピストンが下に移動するに従い、ピストンチャンバの中の気圧が増大し、液体を排出し始め、
液体吸上げの状態にある時、プッシュブロックＡと密封ブロックとが底端まで移動し、プッシュブロックＡが通気パイプを塞ぎ、ピストンが上へ移動するに従い、ピストンチャンバの中の気圧が減少し、液体吸上げパイプによって液体を吸上げ始め、
中間状態にある時、プッシュブロックＡがバネＡの作用によって中間位置を維持し、空気が通気パイプを通して流通することを特徴とする請求項１に記載の小分けボトルの補助工具。
【請求項３】
前記バルブＢは前記ピストンチャンバの底壁の下方に位置するプッシュブロックチャンバＢを含み、前記プッシュブロックチャンバＢと前記ピストンチャンバとの間には液体入口が連通して設置され、前記プッシュブロックチャンバＢの底壁の中にはバネチャンバＢが連通して設置され、前記プッシュブロックＢが前記プッシュブロックチャンバＢの中にスライドできるように取付けられ、前記バネＢが前記プッシュブロックＢと前記バネチャンバＢの底壁との間に固定的に取付けられ、前記液体入口の右側壁には液体排出パイプが連結され、液体を吸い上げる時、ピストンチャンバの中の気圧が減少し、プッシュブロックＢがバネＢの作用によって頂端に位置し、液体排出パイプを塞ぎ、液体を排出する時、ピストンチャンバの中の気圧が増大し、プッシュブロックＢを下へ押し、ピストンチャンバの中の液体が液体排出パイプを通して排出されることを特徴とする請求項１に記載の小分けボトルの補助工具。
【請求項４】
前記押圧部品はまた前記持上げロッドの頂部端面に固定的に取付けられる前記押圧板を含み、前記持上げロッドの外側において前記押圧板の下方には圧縮バネＡが設置され、前記リミット板の頂部端面と前記弾力チャンバの頂壁との間には圧縮バネＢが固定的に取付けられ、前記連結ロッドの底部端面には挿入ロッドが固定的に取付けられ、押圧板を下に押し、ピストンを下に押し、ピストンが下に移動し、且つ位置が液体吸上げパイプより低い時、液体排出状態にあり、押圧板が上に移動してピストンを連れて上へ移動させ、且つピストンの位置が液体吸上げパイプより低い時、中間状態にあり、ピストンが次第に上に移動した後にピストンの位置が液体吸上げパイプより高い時、液体吸上げ状態にあり、
この時前記挿入ロッドが前記通気穴の中に入って前記密封ブロック及び前記プッシュブロックＡとを突き止め、前記ピストンが移動し続けるに従い、前記プッシュブロックＡと前記密封ブロックが最底端に押され、前記ピストンが移動し続けて前記挿入ロッドと前記連結ロッドとを上に押すことを特徴とする請求項２に記載の小分けボトルの補助工具。
【請求項５】
前記リミット部品は前記柱にスライドできるように取付けられるスライドブロックを含み、前記スライドブロックの左端面の中にはねじ山穴が設けられ、前記ねじ山穴の中にはねじ山ロッドがねじ山によって連結され、前記ねじ山ロッドの左端面には回転ブロックが固定的に取付けられ、前記柱の右端面には目盛り板が設置され、持上げロッドの上がる距離を制御する時にスライドブロックをスライドさせ、目盛り板における目盛りによりスライドブロックの高さを制御し、持上げロッドの上がる高さを制御し、ピストンチャンバの中の吸い上げる液体の量を制御することを特徴とする請求項１に記載の小分けボトルの補助工具。
【発明の詳細な説明】
【技術分野】
【０００１】
本発明は生活用品分野に関し、具体的には小分けボトルの補助工具である。
【背景技術】
【０００２】
時折に、携帯便利のために、液体を小分けボトル内に入れることがよくある。しかし、小分けボトルの体積があまり大きくなく、口も割と小さく、大きい容器から小分けボトル内に液体を入れる時、液体が溢れてしまうと浪費になる上に、清掃も面倒くさく、小漏斗を使う場合、注ぐ量をたえず注意することが必要であり、しかも注ぐ量を制御しにくいのである。
【先行技術文献】
【特許文献】
【０００３】
【特許文献１】中国特許出願公開第１０９２０５１０３号明細書
【発明の概要】
【発明が解決しようとする課題】
【０００４】
本発明の目的は小分けボトルの補助工具を提供し、それは上記の現在の技術中の問題を解決できる。
【課題を解決するための手段】
【０００５】
上記の課題を解決するため、本発明は以下の技術プランを採用する：ボトル本体を含み、前記ボトル本体の頂部端面には柱が設置され、前記柱の中にはピストンチャンバが設けられ、前記ピストンチャンバの左側壁には液体吸上げパイプが設置され、前記ピストンチャンバの右側内壁の中には硝子板が設けられ、前記硝子板には目盛りが設置され、前記ピストンチャンバの中にはピストンがスライドできるように取付けられ、前記ピストンの中には前記ピストンチャンバの中で行われる液体吸上げを制御するバルブＡが設置され、前記バルブＡがプッシュブロックＡとバネＡを含み、前記ピストンチャンバの底壁には液体排出を制御するバルブＢが設置され、前記バルブＢがプッシュブロックＢとバネＢとを含み、前記バルブＡと前記バルブＢとの連結によって前記ピストンチャンバの中で行われる液体の吸上げと排出を制御し、前記ボトル本体と前記柱の中には前記ピストンの上下移動を制御する押圧部品が設置され、前記押圧部品が前記ピストンの頂部端面に固定的に取付けられる持上げロッドと、前記柱の中に位置する弾力チャンバとを含み、前記弾力チャンバの中にはリミット板がスライドできるように取付けられ、前記リミット板の底部端面には前記ピストンチャンバの中に進入する連結ロッドが固定的に取付けられ、前記柱には前記持上げロッドの上がる距離を制御するリミット部品が設置される。
【０００６】
優選的には、前記バルブＡは前記ピストンの中に位置するプッシュブロックチャンバＡを含み、前記プッシュブロックチャンバＡの頂壁には上方に開口した通気穴が設けられ、前記プッシュブロックチャンバＡの底壁の中にはバネチャンバＡが連通して設けられ、前記バネチャンバＡの底壁には下方に開口したエアホールが設けられ、前記プッシュブロックＡが前記プッシュブロックチャンバＡの中にスライドできるように取付けられ、前記バネＡが前記プッシュブロックＡと前記バネチャンバＡの底壁との間に固定的に取付けられ、前記プッシュブロックＡの頂部端面には密封ブロックが固定的に取付けられ、前記密封ブロックが前記通気穴と連結されて密封になることができ、前記通気穴と前記プッシュブロックチャンバＡとの間には通気パイプが連通して設けられる。
【０００７】
優選的には、前記バルブＢは前記ピストンチャンバの底壁の下方に位置するプッシュブロックチャンバＢを含み、前記プッシュブロックチャンバＢと前記ピストンチャンバとの間には液体入口が連通して設置され、前記プッシュブロックチャンバＢの底壁の中にはバネチャンバＢが連通して設置され、前記プッシュブロックＢが前記プッシュブロックチャンバＢの中にスライドできるように取付けられ、前記バネＢが前記プッシュブロックＢと前記バネチャンバＢの底壁との間に固定的に取付けられ、前記液体入口の右側壁には液体排出パイプが連結される。
【０００８】
優選的には、前記押圧部品はまた前記持上げロッドの頂部端面に固定的に取付けられる前記押圧板を含み、前記持上げロッドの外側において前記押圧板の下方には圧縮バネＡが設置され、前記リミット板の頂部端面と前記弾力チャンバの頂壁との間には圧縮バネＢが固定的に取付けられ、前記連結ロッドの底部端面には挿入ロッドが固定的に取付けられる。
【０００９】
前記リミット部品は前記柱にスライドできるように取付けられるスライドブロックを含み、前記スライドブロックの左端面の中にはねじ山穴が設けられ、前記ねじ山穴の中にはねじ山ロッドがねじ山によって連結され、前記ねじ山ロッドの左端面には回転ブロックが固定的に取付けられ、前記柱の右端面には目盛り板が設置される。
【発明の効果】
【００１０】
本発明の有益効果は：リミット部品によって液体を吸い上げる量を制御でき、異なる体積の小分けボトルに対応でき、便利に調節することができ、使用に便利を与え、液体吸上げパイプを吸上げ元のボトルに入れ、液体排出パイプを小分けボトルに入れ、押圧部品によれば液体を分けられ、液体が溢れることはなく、使用が便利で、日常需要を満足し、宣伝価値がある。
【図面の簡単な説明】
【００１１】
下記に図１〜６をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１２】
【図１】図１は本発明の全体構造概略図
【図２】図２は本発明の図１のＡの拡大図
【図３】図３は液体排出が始まる時のバルブＡの構造略図
【図４】図４は液体吸い上げが始まる時のバルブＡの構造略図
【図５】図５は本発明の図１のＢの拡大図
【図６】図６はバルブＢの液体排出時の構造略図
【発明を実施するための形態】
【００１３】
図１〜６を参照し、本発明の実施例の小分けボトルの補助工具は、ボトル本体１０を含み、前記ボトル本体１０の頂部端面には柱２５が設置され、前記柱２５の中にはピストンチャンバ１１が設けられ、前記ピストンチャンバ１１の左側壁には液体吸上げパイプ１４が設置され、前記ピストンチャンバ１１の右側内壁の中には硝子板１２が設けられ、前記硝子板１２には目盛り１３が設置され、前記ピストンチャンバ１１の中にはピストン３１がスライドできるように取付けられ、前記ピストン３１の中には前記ピストンチャンバ１１の中で行われる液体吸上げを制御するバルブＡ９０１が設置され、前記バルブＡ９０１がプッシュブロックＡ３６とバネＡ３７を含み、前記ピストンチャンバ１１の底壁には液体排出を制御するバルブＢ９０２が設置され、前記バルブＢ９０２がプッシュブロックＢ４３とバネＢ４５とを含み、前記バルブＡ９０１と前記バルブＢ９０２との連結によって前記ピストンチャンバ１１の中で行われる液体の吸上げと排出を制御し、前記ボトル本体１０と前記柱２５の中には前記ピストン３１の上下移動を制御する押圧部品９０３が設置され、前記押圧部品９０３が前記ピストン３１の頂部端面に固定的に取付けられる持上げロッド１７と、前記柱２５の中に位置する弾力チャンバ２０とを含み、前記弾力チャンバ２０の中にはリミット板１８がスライドできるように取付けられ、前記リミット板１８の底部端面には前記ピストンチャンバ１１の中に進入する連結ロッド１６が固定的に取付けられ、前記柱２５には前記持上げロッド１７の上がる距離を制御するリミット部品が設置される。
【００１４】
前記バルブＡ９０１は前記ピストン３１の中に位置するプッシュブロックチャンバＡ３２を含み、前記プッシュブロックチャンバＡ３２の頂壁には上方に開口した通気穴３３が設けられ、前記プッシュブロックチャンバＡ３２の底壁の中にはバネチャンバＡ３８が連通して設けられ、前記バネチャンバＡ３８の底壁には下方に開口したエアホール４０が設けられ、前記プッシュブロックＡ３６が前記プッシュブロックチャンバＡ３２の中にスライドできるように取付けられ、前記バネＡ３７が前記プッシュブロックＡ３６と前記バネチャンバＡ３８の底壁との間に固定的に取付けられ、前記プッシュブロックＡ３６の頂部端面には密封ブロック３４が固定的に取付けられ、前記密封ブロック３４が前記通気穴３３と連結されて密封になることができ、前記通気穴３３と前記プッシュブロックチャンバＡ３２との間には通気パイプ３５が連通して設けられ、液体排出の状態にある時、プッシュブロックＡ３６と密封ブロック３４とが頂端まで移動し、密封ブロック３４が通気穴３３と係合されて密封になり、空気が通気パイプ３５を通して流通できなく、ピストン３１が下に移動するに従い、ピストンチャンバ１１の中の気圧が増大し、液体を排出し始め、
液体吸上げの状態にある時、プッシュブロックＡ３６と密封ブロック３４とが底端まで移動し、プッシュブロックＡ３６が通気パイプ３５を塞ぎ、ピストン３１が上へ移動するに従い、ピストンチャンバ１１の中の気圧が減少し、液体吸上げパイプ１４によって液体を吸上げ始め、
中間状態にある時、プッシュブロックＡ３６がバネＡ３７の作用によって中間位置を維持し、空気が通気パイプ３５を通して流通する。
【００１５】
前記バルブＢ９０２は前記ピストンチャンバ１１の底壁の下方に位置するプッシュブロックチャンバＢ４１を含み、前記プッシュブロックチャンバＢ４１と前記ピストンチャンバ１１との間には液体入口４２が連通して設置され、前記プッシュブロックチャンバＢ４１の底壁の中にはバネチャンバＢ４４が連通して設置され、前記プッシュブロックＢ４３が前記プッシュブロックチャンバＢ４１の中にスライドできるように取付けられ、前記バネＢ４５が前記プッシュブロックＢ４３と前記バネチャンバＢ４４の底壁との間に固定的に取付けられ、前記液体入口４２の右側壁には液体排出パイプ４６が連結され、液体を吸い上げる時、ピストンチャンバ１１の中の気圧が減少し、プッシュブロックＢ４３がバネＢ４５の作用によって頂端に位置し、液体排出パイプ４６を塞ぎ、液体を排出する時、ピストンチャンバ１１の中の気圧が増大し、プッシュブロックＢ４３を下へ押し、ピストンチャンバ１１の中の液体が液体排出パイプ４６を通して排出される。
【００１６】
前記押圧部品９０３はまた前記持上げロッド１７の頂部端面に固定的に取付けられる前記押圧板２３を含み、前記持上げロッド１７の外側において前記押圧板２３の下方には圧縮バネＡ２２が設置され、前記リミット板１８の頂部端面と前記弾力チャンバ２０の頂壁との間には圧縮バネＢ２１が固定的に取付けられ、前記連結ロッド１６の底部端面には挿入ロッド１５が固定的に取付けられ、押圧板２３を下に押し、ピストン３１を下に押し、ピストン３１が下に移動し、且つ位置が液体吸上げパイプ１４より低い時、液体排出状態にあり、押圧板２３が上に移動してピストン３１を連れて上へ移動させ、且つピストン３１の位置が液体吸上げパイプ１４より低い時、中間状態にあり、ピストン３１が次第に上に移動した後にピストン３１の位置が液体吸上げパイプ１４より高い時、液体吸上げ状態にあり、
この時前記挿入ロッド１５が前記通気穴３３の中に入って前記密封ブロック３４及び前記プッシュブロックＡ３６とを突き止め、前記ピストン３１が移動し続けるに従い、前記プッシュブロックＡ３６と前記密封ブロック３４が最底端に押され、前記ピストン３１が移動し続けて前記挿入ロッド１５と前記連結ロッド１６とを上に押す。
【００１７】
前記リミット部品９０４は前記柱２５にスライドできるように取付けられるスライドブロック２７を含み、前記スライドブロック２７の左端面の中にはねじ山穴２６が設けられ、前記ねじ山穴２６の中にはねじ山ロッド２８がねじ山によって連結され、前記ねじ山ロッド２８の左端面には回転ブロック３０が固定的に取付けられ、前記柱２５の右端面には目盛り板２４が設置され、持上げロッド１７の上がる距離を制御する時にスライドブロック２７をスライドさせ、目盛り板２４における目盛りによりスライドブロック２７の高さを制御し、持上げロッド１７の上がる高さを制御し、ピストンチャンバ１１の中の吸い上げる液体の量を制御する。
【００１８】
使用する時、液体吸上げパイプ１４を吸い上げられる液体の中に挿入し、液体排出パイプ４６を小分けボトルの中に挿入し、目盛り板２４における目盛りによりスライドブロック２７の高さを制御し、回転ブロック３０を締め付け、ねじ山ロッド２８をねじ山穴２６の中に捩じ込んで柱２５の左端面と接触させ、固定を完成し、持上げロッド１７の上がる高さを制御し、ピストンチャンバ１１の中の吸い上げる液体の量を制御する。
【００１９】
液体を吸い上げる時、持上げロッド１７を上へ引き動かし、ピストン３１を連れて上へ移動させ、且つピストン３１の位置が液体吸上げパイプ１４より低い時、中間状態にあり、ピストン３１が次第に上に移動した後にピストン３１の位置が液体吸上げパイプ１４より高い時、液体吸上げ状態にあり、この時挿入ロッド１５が通気穴３３の中に入って密封ブロック３４及びプッシュブロックＡ３６を差し付け、ピストン３１が継続して移動するに従い、プッシュブロックＡ３６と密封ブロック３４とが最底端まで差し付けられ、プッシュブロックＡ３６が通気パイプ３５を塞ぎ、ピストン３１が継続して移動して挿入ロッド１５と連結ロッド１６とを上へ押し始め、ピストンチャンバ１１の中に気圧が減少し、液体吸上げパイプ１４によって液体を吸上げ始め、プッシュブロックＢ４３がバネＢ４５の作用によって頂端に位置し、液体排出パイプ４６を塞ぎ、空気が液体排出パイプ４６を通してピストンチャンバ１１の中に入ることができない。
【００２０】
液体を排出する時、押圧板２３を下へ押し、ピストン３１を下に押し、ピストン３１が下に移動し、且つ位置が液体吸上げパイプ１４より低い時、液体排出状態にあり、プッシュブロックＡ３６と密封ブロック３４とが頂端まで移動し、密封ブロック３４と通気穴３３とが係合されて密封になり、空気が通気パイプ３５を通して流通できなく、ピストン３１が下に移動するに従い、ピストンチャンバ１１の中の気圧が増大し、プッシュブロックＢ４３を下へ押し、ピストンチャンバ１１の中の液体が液体排出パイプ４６から排出され、液体排出が開始する。
【００２１】
本発明の有益効果は：リミット部品によって液体を吸い上げる量を制御でき、異なる体積の小分けボトルに対応でき、便利に調節することができ、使用に便利を与え、液体吸上げパイプを吸上げ元のボトルに入れ、液体排出パイプを小分けボトルに入れ、押圧部品によれば液体を分けられ、液体が溢れることはなく、使用が便利で、日常需要を満足し、宣伝価値がある。
【００２２】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020183272.tif 000003
【図２】
2020183272.tif 000004
【図３】
2020183272.tif 000005
【図４】
2020183272.tif 000006
【図５】
2020183272.tif 000007
【図６】
2020183272.tif 000008
【手続補正書】
【提出日】令和1年11月21日(2019.11.21)
【手続補正１】
【補正対象書類名】特許請求の範囲
【補正対象項目名】全文
【補正方法】変更
【補正の内容】
【特許請求の範囲】
【請求項１】
正面視で、ボトル本体を含み、前記ボトル本体の頂部端面には柱が設置され、前記ボトル本体の中にはピストンチャンバが設けられ、前記ピストンチャンバの左側壁には液体吸上げパイプが設置され、前記ピストンチャンバの右側内壁の中には硝子板が設けられ、前記硝子板には目盛りが設置され、前記ピストンチャンバの中にはピストンがスライドできるように取付けられ、前記ピストンの中には前記ピストンチャンバの中で行われる液体吸上げを制御するバルブＡが設置され、前記バルブＡがプッシュブロックＡとバネＡを含み、前記ピストンチャンバの底壁には液体排出を制御するバルブＢが設置され、前記バルブＢがプッシュブロックＢとバネＢとを含み、前記バルブＡと前記バルブＢとの連結によって前記ピストンチャンバの中で行われる液体の吸上げと排出を制御し、前記ボトル本体と前記柱の中には前記ピストンの上下移動を制御する押圧部品が設置され、前記押圧部品が前記ピストンの頂部端面に固定的に取付けられる持上げロッドと、前記柱の中に位置する弾力チャンバとを含み、前記弾力チャンバの中にはリミット板がスライドできるように取付けられ、前記リミット板の底部端面には前記ピストンチャンバの中に進入する連結ロッドが固定的に取付けられ、前記柱には前記持上げロッドの上がる距離を制御するリミット部品が設置され、
前記バルブＡは前記ピストンの中に位置するプッシュブロックチャンバＡを含み、前記プッシュブロックチャンバＡの頂壁には上方に開口した通気穴が設けられ、前記プッシュブロックチャンバＡの底壁の中にはバネチャンバＡが連通して設けられ、前記バネチャンバＡの底壁には下方に開口したエアホールが設けられ、前記プッシュブロックＡが前記プッシュブロックチャンバＡの中にスライドできるように取付けられ、前記バネＡが前記プッシュブロックＡと前記バネチャンバＡの底壁との間に固定的に取付けられ、前記プッシュブロックＡの頂部端面には密封ブロックが固定的に取付けられ、前記密封ブロックが前記通気穴と連結されて密封になることができ、前記通気穴と前記プッシュブロックチャンバＡとの間には通気パイプが連通して設けられ、液体排出の状態にある時、プッシュブロックＡと密封ブロックとが頂端まで移動し、密封ブロックが通気穴と係合されて密封になり、空気が通気パイプを通して流通できなく、ピストンが下に移動するに従い、ピストンチャンバの中の気圧が増大し、液体を排出し始め、
液体吸上げの状態にある時、プッシュブロックＡと密封ブロックとが底端まで移動し、プッシュブロックＡが通気パイプを塞ぎ、ピストンが上へ移動するに従い、ピストンチャンバの中の気圧が減少し、液体吸上げパイプによって液体を吸上げ始め、
プッシュブロックＡがバネＡの作用によって中間位置を維持し、空気が通気パイプを通して流通し、
前記バルブＢは前記ピストンチャンバの底壁の下方に位置するプッシュブロックチャンバＢを含み、前記プッシュブロックチャンバＢと前記ピストンチャンバとの間には液体入口が連通して設置され、前記プッシュブロックチャンバＢの底壁の中にはバネチャンバＢが連通して設置され、前記プッシュブロックＢが前記プッシュブロックチャンバＢの中にスライドできるように取付けられ、前記バネＢが前記プッシュブロックＢと前記バネチャンバＢの底壁との間に固定的に取付けられ、前記液体入口の右側壁には液体排出パイプが連結され、液体を吸い上げる時、ピストンチャンバの中の気圧が減少し、プッシュブロックＢがバネＢの作用によって頂端に位置し、液体排出パイプを塞ぎ、液体を排出する時、ピストンチャンバの中の気圧が増大し、プッシュブロックＢを下へ押し、ピストンチャンバの中の液体が液体排出パイプを通して排出され、
前記押圧部品はまた前記持上げロッドの頂部端面に固定的に取付けられる押圧板を含み、前記持上げロッドの外側において前記押圧板の下方には圧縮バネＡが設置され、前記リミット板の頂部端面と前記弾力チャンバの頂壁との間には圧縮バネＢが固定的に取付けられ、前記連結ロッドの底部端面には挿入ロッドが固定的に取付けられ、押圧板を下に押し、ピストンを下に押し、ピストンが下に移動し、且つ位置が液体吸上げパイプより低い時、液体排出状態にあり、押圧板が上に移動してピストンを連れて上へ移動させ、且つピストンの位置が液体吸上げパイプより低い時、ピストンが次第に上に移動した後にピストンの位置が液体吸上げパイプより高い時、液体吸上げ状態にあり、
この時前記挿入ロッドが前記通気穴の中に入って前記密封ブロック及び前記プッシュブロックＡとを突き止め、前記ピストンが移動し続けるに従い、前記プッシュブロックＡと前記密封ブロックが最底端に押され、前記ピストンが移動し続けて前記挿入ロッドと前記連結ロッドとを上に押し、
前記リミット部品は前記柱にスライドできるように取付けられるスライドブロックを含み、前記スライドブロックの左端面の中にはねじ山穴が設けられ、前記ねじ山穴の中にはねじ山ロッドがねじ山によって連結され、前記ねじ山ロッドの左端面には回転ブロックが固定的に取付けられ、前記柱の右端面には目盛り板が設置され、持上げロッドの上がる距離を制御する時にスライドブロックをスライドさせ、目盛り板における目盛りによりスライドブロックの高さを制御し、持上げロッドの上がる高さを制御し、ピストンチャンバの中の吸い上げる液体の量を制御することを特徴とする小分けボトルの補助工具。
【手続補正２】
【補正対象書類名】明細書
【補正対象項目名】全文
【補正方法】変更
【補正の内容】
【発明の詳細な説明】
【技術分野】
【０００１】
本発明は生活用品分野に関し、具体的には小分けボトルの補助工具である。
【背景技術】
【０００２】
時折に、携帯便利のために、液体を小分けボトル内に入れることがよくある。しかし、小分けボトルの体積があまり大きくなく、口も割と小さく、大きい容器から小分けボトル内に液体を入れる時、液体が溢れてしまうと浪費になる上に、清掃も面倒くさく、小漏斗を使う場合、注ぐ量をたえず注意することが必要であり、しかも注ぐ量を制御しにくいのである。
【先行技術文献】
【特許文献】
【０００３】
【特許文献１】中国特許出願公開第１０９２０５１０３号明細書
【発明の概要】
【発明が解決しようとする課題】
【０００４】
本発明の目的は小分けボトルの補助工具を提供し、それは上記の現在の技術中の問題を解決できる。
【課題を解決するための手段】
【０００５】
上記の課題を解決するため、本発明は以下の技術プランを採用する：ボトル本体を含み、前記ボトル本体の頂部端面には柱が設置され、前記ボトル本体の中にはピストンチャンバが設けられ、前記ピストンチャンバの左側壁には液体吸上げパイプが設置され、前記ピストンチャンバの右側内壁の中には硝子板が設けられ、前記硝子板には目盛りが設置され、前記ピストンチャンバの中にはピストンがスライドできるように取付けられ、前記ピストンの中には前記ピストンチャンバの中で行われる液体吸上げを制御するバルブＡが設置され、前記バルブＡがプッシュブロックＡとバネＡを含み、前記ピストンチャンバの底壁には液体排出を制御するバルブＢが設置され、前記バルブＢがプッシュブロックＢとバネＢとを含み、前記バルブＡと前記バルブＢとの連結によって前記ピストンチャンバの中で行われる液体の吸上げと排出を制御し、前記ボトル本体と前記柱の中には前記ピストンの上下移動を制御する押圧部品が設置され、前記押圧部品が前記ピストンの頂部端面に固定的に取付けられる持上げロッドと、前記柱の中に位置する弾力チャンバとを含み、前記弾力チャンバの中にはリミット板がスライドできるように取付けられ、前記リミット板の底部端面には前記ピストンチャンバの中に進入する連結ロッドが固定的に取付けられ、前記柱には前記持上げロッドの上がる距離を制御するリミット部品が設置される。
【０００６】
優選的には、前記バルブＡは前記ピストンの中に位置するプッシュブロックチャンバＡを含み、前記プッシュブロックチャンバＡの頂壁には上方に開口した通気穴が設けられ、前記プッシュブロックチャンバＡの底壁の中にはバネチャンバＡが連通して設けられ、前記バネチャンバＡの底壁には下方に開口したエアホールが設けられ、前記プッシュブロックＡが前記プッシュブロックチャンバＡの中にスライドできるように取付けられ、前記バネＡが前記プッシュブロックＡと前記バネチャンバＡの底壁との間に固定的に取付けられ、前記プッシュブロックＡの頂部端面には密封ブロックが固定的に取付けられ、前記密封ブロックが前記通気穴と連結されて密封になることができ、前記通気穴と前記プッシュブロックチャンバＡとの間には通気パイプが連通して設けられる。
【０００７】
優選的には、前記バルブＢは前記ピストンチャンバの底壁の下方に位置するプッシュブロックチャンバＢを含み、前記プッシュブロックチャンバＢと前記ピストンチャンバとの間には液体入口が連通して設置され、前記プッシュブロックチャンバＢの底壁の中にはバネチャンバＢが連通して設置され、前記プッシュブロックＢが前記プッシュブロックチャンバＢの中にスライドできるように取付けられ、前記バネＢが前記プッシュブロックＢと前記バネチャンバＢの底壁との間に固定的に取付けられ、前記液体入口の右側壁には液体排出パイプが連結される。
【０００８】
優選的には、前記押圧部品はまた前記持上げロッドの頂部端面に固定的に取付けられる押圧板を含み、前記持上げロッドの外側において前記押圧板の下方には圧縮バネＡが設置され、前記リミット板の頂部端面と前記弾力チャンバの頂壁との間には圧縮バネＢが固定的に取付けられ、前記連結ロッドの底部端面には挿入ロッドが固定的に取付けられる。
【０００９】
前記リミット部品は前記柱にスライドできるように取付けられるスライドブロックを含み、前記スライドブロックの左端面の中にはねじ山穴が設けられ、前記ねじ山穴の中にはねじ山ロッドがねじ山によって連結され、前記ねじ山ロッドの左端面には回転ブロックが固定的に取付けられ、前記柱の右端面には目盛り板が設置される。
【発明の効果】
【００１０】
本発明の有益効果は：リミット部品によって液体を吸い上げる量を制御でき、異なる体積の小分けボトルに対応でき、便利に調節することができ、使用に便利を与え、液体吸上げパイプを吸上げ元のボトルに入れ、液体排出パイプを小分けボトルに入れ、押圧部品によれば液体を分けられ、液体が溢れることはなく、使用が便利で、日常需要を満足し、宣伝価値がある。
【図面の簡単な説明】
【００１１】
下記に図１〜６をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１２】
【図１】図１は本発明の全体構造概略図
【図２】図２は本発明の図１のＡの拡大図
【図３】図３は液体排出が始まる時のバルブＡの構造略図
【図４】図４は液体吸い上げが始まる時のバルブＡの構造略図
【図５】図５は本発明の図１のＢの拡大図
【図６】図６はバルブＢの液体排出時の構造略図
【発明を実施するための形態】
【００１３】
図１〜６を参照し、本発明の実施例の小分けボトルの補助工具は、ボトル本体１０を含み、前記ボトル本体１０の頂部端面には柱２５が設置され、前記ボトル本体１０の中にはピストンチャンバ１１が設けられ、前記ピストンチャンバ１１の左側壁には液体吸上げパイプ１４が設置され、前記ピストンチャンバ１１の右側内壁の中には硝子板１２が設けられ、前記硝子板１２には目盛り１３が設置され、前記ピストンチャンバ１１の中にはピストン３１がスライドできるように取付けられ、前記ピストン３１の中には前記ピストンチャンバ１１の中で行われる液体吸上げを制御するバルブＡ９０１が設置され、前記バルブＡ９０１がプッシュブロックＡ３６とバネＡ３７を含み、前記ピストンチャンバ１１の底壁には液体排出を制御するバルブＢ９０２が設置され、前記バルブＢ９０２がプッシュブロックＢ４３とバネＢ４５とを含み、前記バルブＡ９０１と前記バルブＢ９０２との連結によって前記ピストンチャンバ１１の中で行われる液体の吸上げと排出を制御し、前記ボトル本体１０と前記柱２５の中には前記ピストン３１の上下移動を制御する押圧部品９０３が設置され、前記押圧部品９０３が前記ピストン３１の頂部端面に固定的に取付けられる持上げロッド１７と、前記柱２５の中に位置する弾力チャンバ２０とを含み、前記弾力チャンバ２０の中にはリミット板１８がスライドできるように取付けられ、前記リミット板１８の底部端面には前記ピストンチャンバ１１の中に進入する連結ロッド１６が固定的に取付けられ、前記柱２５には前記持上げロッド１７の上がる距離を制御するリミット部品が設置される。
【００１４】
前記バルブＡ９０１は前記ピストン３１の中に位置するプッシュブロックチャンバＡ３２を含み、前記プッシュブロックチャンバＡ３２の頂壁には上方に開口した通気穴３３が設けられ、前記プッシュブロックチャンバＡ３２の底壁の中にはバネチャンバＡ３８が連通して設けられ、前記バネチャンバＡ３８の底壁には下方に開口したエアホール４０が設けられ、前記プッシュブロックＡ３６が前記プッシュブロックチャンバＡ３２の中にスライドできるように取付けられ、前記バネＡ３７が前記プッシュブロックＡ３６と前記バネチャンバＡ３８の底壁との間に固定的に取付けられ、前記プッシュブロックＡ３６の頂部端面には密封ブロック３４が固定的に取付けられ、前記密封ブロック３４が前記通気穴３３と連結されて密封になることができ、前記通気穴３３と前記プッシュブロックチャンバＡ３２との間には通気パイプ３５が連通して設けられ、液体排出の状態にある時、プッシュブロックＡ３６と密封ブロック３４とが頂端まで移動し、密封ブロック３４が通気穴３３と係合されて密封になり、空気が通気パイプ３５を通して流通できなく、ピストン３１が下に移動するに従い、ピストンチャンバ１１の中の気圧が増大し、液体を排出し始め、
液体吸上げの状態にある時、プッシュブロックＡ３６と密封ブロック３４とが底端まで移動し、プッシュブロックＡ３６が通気パイプ３５を塞ぎ、ピストン３１が上へ移動するに従い、ピストンチャンバ１１の中の気圧が減少し、液体吸上げパイプ１４によって液体を吸上げ始め、
プッシュブロックＡ３６がバネＡ３７の作用によって中間位置を維持し、空気が通気パイプ３５を通して流通する。
【００１５】
前記バルブＢ９０２は前記ピストンチャンバ１１の底壁の下方に位置するプッシュブロックチャンバＢ４１を含み、前記プッシュブロックチャンバＢ４１と前記ピストンチャンバ１１との間には液体入口４２が連通して設置され、前記プッシュブロックチャンバＢ４１の底壁の中にはバネチャンバＢ４４が連通して設置され、前記プッシュブロックＢ４３が前記プッシュブロックチャンバＢ４１の中にスライドできるように取付けられ、前記バネＢ４５が前記プッシュブロックＢ４３と前記バネチャンバＢ４４の底壁との間に固定的に取付けられ、前記液体入口４２の右側壁には液体排出パイプ４６が連結され、液体を吸い上げる時、ピストンチャンバ１１の中の気圧が減少し、プッシュブロックＢ４３がバネＢ４５の作用によって頂端に位置し、液体排出パイプ４６を塞ぎ、液体を排出する時、ピストンチャンバ１１の中の気圧が増大し、プッシュブロックＢ４３を下へ押し、ピストンチャンバ１１の中の液体が液体排出パイプ４６を通して排出される。
【００１６】
前記押圧部品９０３はまた前記持上げロッド１７の頂部端面に固定的に取付けられる押圧板２３を含み、前記持上げロッド１７の外側において前記押圧板２３の下方には圧縮バネＡ２２が設置され、前記リミット板１８の頂部端面と前記弾力チャンバ２０の頂壁との間には圧縮バネＢ２１が固定的に取付けられ、前記連結ロッド１６の底部端面には挿入ロッド１５が固定的に取付けられ、押圧板２３を下に押し、ピストン３１を下に押し、ピストン３１が下に移動し、且つ位置が液体吸上げパイプ１４より低い時、液体排出状態にあり、押圧板２３が上に移動してピストン３１を連れて上へ移動させ、且つピストン３１の位置が液体吸上げパイプ１４より低い時、ピストン３１が次第に上に移動した後にピストン３１の位置が液体吸上げパイプ１４より高い時、液体吸上げ状態にあり、
この時前記挿入ロッド１５が前記通気穴３３の中に入って前記密封ブロック３４及び前記プッシュブロックＡ３６とを突き止め、前記ピストン３１が移動し続けるに従い、前記プッシュブロックＡ３６と前記密封ブロック３４が最底端に押され、前記ピストン３１が移動し続けて前記挿入ロッド１５と前記連結ロッド１６とを上に押す。
【００１７】
前記リミット部品９０４は前記柱２５にスライドできるように取付けられるスライドブロック２７を含み、前記スライドブロック２７の左端面の中にはねじ山穴２６が設けられ、前記ねじ山穴２６の中にはねじ山ロッド２８がねじ山によって連結され、前記ねじ山ロッド２８の左端面には回転ブロック３０が固定的に取付けられ、前記柱２５の右端面には目盛り板２４が設置され、持上げロッド１７の上がる距離を制御する時にスライドブロック２７をスライドさせ、目盛り板２４における目盛りによりスライドブロック２７の高さを制御し、持上げロッド１７の上がる高さを制御し、ピストンチャンバ１１の中の吸い上げる液体の量を制御する。
【００１８】
使用する時、液体吸上げパイプ１４を吸い上げられる液体の中に挿入し、液体排出パイプ４６を小分けボトルの中に挿入し、目盛り板２４における目盛りによりスライドブロック２７の高さを制御し、回転ブロック３０を締め付け、ねじ山ロッド２８をねじ山穴２６の中に捩じ込んで柱２５の左端面と接触させ、固定を完成し、持上げロッド１７の上がる高さを制御し、ピストンチャンバ１１の中の吸い上げる液体の量を制御する。
【００１９】
液体を吸い上げる時、持上げロッド１７を上へ引き動かし、ピストン３１を連れて上へ移動させ、且つピストン３１の位置が液体吸上げパイプ１４より低い時、ピストン３１が次第に上に移動した後にピストン３１の位置が液体吸上げパイプ１４より高い時、液体吸上げ状態にあり、この時挿入ロッド１５が通気穴３３の中に入って密封ブロック３４及びプッシュブロックＡ３６を差し付け、ピストン３１が継続して移動するに従い、プッシュブロックＡ３６と密封ブロック３４とが最底端まで差し付けられ、プッシュブロックＡ３６が通気パイプ３５を塞ぎ、ピストン３１が継続して移動して挿入ロッド１５と連結ロッド１６とを上へ押し始め、ピストンチャンバ１１の中に気圧が減少し、液体吸上げパイプ１４によって液体を吸上げ始め、プッシュブロックＢ４３がバネＢ４５の作用によって頂端に位置し、液体排出パイプ４６を塞ぎ、空気が液体排出パイプ４６を通してピストンチャンバ１１の中に入ることができない。
【００２０】
液体を排出する時、押圧板２３を下へ押し、ピストン３１を下に押し、ピストン３１が下に移動し、且つ位置が液体吸上げパイプ１４より低い時、液体排出状態にあり、プッシュブロックＡ３６と密封ブロック３４とが頂端まで移動し、密封ブロック３４と通気穴３３とが係合されて密封になり、空気が通気パイプ３５を通して流通できなく、ピストン３１が下に移動するに従い、ピストンチャンバ１１の中の気圧が増大し、プッシュブロックＢ４３を下へ押し、ピストンチャンバ１１の中の液体が液体排出パイプ４６から排出され、液体排出が開始する。
【００２１】
本発明の有益効果は：リミット部品によって液体を吸い上げる量を制御でき、異なる体積の小分けボトルに対応でき、便利に調節することができ、使用に便利を与え、液体吸上げパイプを吸上げ元のボトルに入れ、液体排出パイプを小分けボトルに入れ、押圧部品によれば液体を分けられ、液体が溢れることはなく、使用が便利で、日常需要を満足し、宣伝価値がある。
【００２２】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。